(57)【要約】【課題】サーバ装置及びファンモジュールを提供する。【解決手段】サーバ装置にファンモジュールが配置され、このファンモジュールは、システムの要求に基づく異なるサイズのファンユニットに用いられる取り外し可能又は再配置可能なセパレータを含む。サーバ装置のシャーシは、複数のスレッドと、ファンモジュールと、を備えてよい。ファンモジュールは、複数のファンユニットを収納できるように配置される取り外し可能なセパレータを含む。【選択図】図８Ａ
2019121354.tif 000002
【特許請求の範囲】
【請求項１】
複数のスレッドと、
取り外し可能なセパレータを含むファンモジュールと、
を備え、
前記取り外し可能なセパレータは、複数のファンユニットを収納できるように配置されるものであることを特徴とするサーバ装置。
【請求項２】
前記ファンユニットは、第１のサイズのファンユニットを含むものであることを特徴とする請求項１に記載のサーバ装置。
【請求項３】
前記ファンユニットは、第２のサイズのファンユニットを含むものであることを特徴とする請求項１に記載のサーバ装置。
【請求項４】
前記ファンモジュールに位置するファンボードを介して前記ファンモジュールに接続されるように配置される配電基板を更に含むものであることを特徴とする請求項１に記載のサーバ装置。
【請求項５】
前記取り外し可能なセパレータは、複数の第１のファンユニット及び複数の第２のファンユニットを収納できるように配置され、前記第１のファンユニットが第１のサイズを含み、且つ前記第２のファンユニットが第２のサイズを含むものであることを特徴とする請求項１に記載のサーバ装置。
【請求項６】
前記取り外し可能なセパレータは、前記第１のファンユニット及び前記第２のファンユニットを収納するように、交換可能な複数の素子を含むものであることを特徴とする請求項５に記載のサーバ装置。
【請求項７】
取り外し可能なセパレータと、
前記取り外し可能なセパレータ内に収納される複数のファンユニットと、
を含むものであることを特徴とするファンモジュール。
【請求項８】
前記ファンモジュールは、金属シートを含むものであることを特徴とする請求項７に記載のファンモジュール。
【請求項９】
前記取り外し可能なセパレータは、複数の第１のファンユニット及び複数の第２のファンユニットを収納できるように配置され、前記第１のファンユニットが第１のサイズを含み、且つ前記第２のファンユニットが第２のサイズを含むものであることを特徴とする請求項７に記載のファンモジュール。
【請求項１０】
前記取り外し可能なセパレータは、前記第１のファンユニット及び前記第２のファンユニットを収納するように、交換可能な複数の素子を含むものであることを特徴とする請求項９に記載のファンモジュール。
【発明の詳細な説明】
【技術分野】
【０００１】
本開示は、大体ファンシステム管理に関し、また、更に具体的には、システムニーズに基づいて配置されるファンユニットのメンテナンスや交換に関する。
【背景技術】
【０００２】
従来のラックシステムにおいて、１つ又は複数のサーバには、一般的に、ファンシステムが取り付けられる。このようなファンシステムは、単独したファンユニットを収納するために、一般的に、固定されたセパレータを有するフレームを含む。しかしながら、従来のファンユニットは、サイズが異なってもよい。例えば、ある通常の設計において、ファンシステムに８つの８０ミリメートル（ｍｍ）のファンユニットを収納することができる。他の通常の設計において、ファンシステムにせいぜい３つの１４０ミリメートルのファンユニットしか収納できない。従って、ラックシステムにおける従来のファンシステムには、定数の特定サイズのファンユニットを収納するために、一般的に、固定されたフレームが内蔵される。これは、またファンシステムに最大の冷却能力を与える。従って、このようなファンシステムを修理するために、一般的に、フレーム全体及び固定されたセパレータを取り外しなければならないので、コストも、ラックシステムのメンテナンスの難しさも増加する。また、ラックシステムにおけるサーバを交換又は変更すると、現在のファンシステムのパフォーマンスが適切な冷却を提供することに不十分であれば、新しい又は変更されたサーバ配置を冷却できるように、ファンモジュール全体を異なるファン配置に交換しなければならない。
【発明の概要】
【０００３】
本開示の一部の実施例によれば、複数のスレッド（ｓｌｅｄ）と、取り外し可能なセパレータを含むファンモジュールと、を備え、前記取り外し可能なセパレータは、複数のファンユニットを収納できるように配置されるサーバ装置を提供する。
【０００４】
本開示の一部の実施例によれば、ファンユニットは、第１のサイズのファンユニットを含む。
【０００５】
本開示の一部の実施例によれば、ファンユニットは、第２のサイズのファンユニットを含む。
【０００６】
本開示の一部の実施例によれば、ファンモジュールに位置するファンボード（ｆａｎ  ｂｏａｒｄ）を介してファンモジュールに接続されるように配置される配電基板を更に含む。
【０００７】
本開示の一部の実施例によれば、ファンモジュールは、金属シートを含む。
【０００８】
本開示の一部の実施例によれば、取り外し可能なセパレータは、複数の第１のファンユニット及び複数の第２のファンユニットを収納できるように配置され、第１のファンユニットが第１のサイズを含み、且つ第２のファンユニットが第２のサイズを含む。
【０００９】
本開示の一部の実施例によれば、取り外し可能なセパレータは、第１のファンユニット及び第２のファンユニットを収納するように、交換可能な（ｉｎｔｅｒｃｈａｎｇｅａｂｌｅ）複数の素子を含む。
【００１０】
本開示の一部の実施例によれば、取り外し可能なセパレータと、取り外し可能なセパレータ内に収納される複数のファンユニットと、を含むファンモジュールを提供する。
【００１１】
本開示の一部の実施例によれば、ファンユニットは、第１のサイズのファンユニットを含む。
【００１２】
本開示の一部の実施例によれば、ファンユニットは、第２のサイズのファンユニットを含む。
【００１３】
本開示の一部の実施例によれば、配電基板に接続されるように配置されるファンボードを更に含む。
【００１４】
本開示の一部の実施例によれば、ファンモジュールは、金属シートを含む。
【００１５】
本開示の一部の実施例によれば、取り外し可能なセパレータは、複数の第１のファンユニット及び複数の第２のファンユニットを収納できるように配置され、第１のファンユニットが第１のサイズを含み、且つ第２のファンユニットが第２のサイズを含む。
【００１６】
本開示の一部の実施例によれば、取り外し可能なセパレータは、第１のファンユニット及び第２のファンユニットを収納するように、交換可能な複数の素子を含む。
【図面の簡単な説明】
【００１７】
本開示の下記及び他の利点や特徴を取得することのできる方法を説明するために、添付図面に示す特定例を参照して、下記原理を詳しく説明する。これらの図面は、本開示の例示的な態様しか示しないので、その範囲を限定するものと見られない。下記添付図面を使用し、また追加の特異性及び細部によって、これらの原理を説明及び解釈する。添付図面を参照して、また下記例示的な実施例に対する説明に合わせると、本開示及びその利点や添付図面は、よりよく理解される。これらの図面は、例示的な実施例のみを説明し、様々な実施形態又は特許請求の範囲を限定するものとして解釈されるべきではない。
【図１】従来技術における既知の例示的なシャーシ装置を示す上面図である。
【図２】当分野における既知の図１のような例示的なシャーシ装置を示す側面図である。
【図３】固定のセパレータを含む従来のファンモジュールを示す等角図である。
【図４Ａ】本開示の一部の実施例によれば、取り外し可能なセパレータを含むファンモジュールを示す等角組立図である。
【図４Ｂ】本開示の一部の実施例によれば、図４Ａに示すような取り外し可能なセパレータを含むファンモジュールを示す等角分解図である。
【図５】本開示の一部の実施例によれば、図４Ａと図４Ｂに示すような配置に配置される例示的なファンモジュール５００を示す等角図である。
【図６Ａ】本開示の一部の実施例によれば、取り外し可能なセパレータを含むファンモジュールを示す等角組立図である。
【図６Ｂ】本開示の一部の実施例によれば、図６Ａに示すような取り外し可能なセパレータを含むファンモジュールを示す等角分解図である。
【図７】本開示の一部の実施例によれば、図６Ａと図６Ｂのように配置される例示的なファンモジュールを示す平面等角図である。
【図８Ａ】本開示の一部の実施例によれば、第１のサイズのファンユニット及び第２のサイズのファンユニットの組合せを収納するように配置されるファンモジュールを示す等角組立図である。
【図８Ｂ】本開示の一部の実施例によれば、図８Ａに示す第１のサイズのファンユニット及び第２のサイズのファンユニットの組合せを収納するように配置されるファンモジュールを示す等角分解図である。
【発明を実施するための形態】
【００１８】
添付図面を参照して本開示を説明し、図面全体にわたって類似又は同一の素子を同じ図面番号で示す。添付図面は、縮尺通りに描かれるものではなく、本開示を説明するためのものだけである。下記の説明のための例示的な適用例を参照して、本開示のいくつかの態様を説明する。本開示を完全に理解させるために、数多くの具体的な細部、関係及び方法を説明することは理解されたい。しかしながら、当業者であれば、1つ又は複数の具体的な細部がなくても又は他の方法を利用しても、本開示を実施できることは容易に理解される。他の場合では、本開示を不明瞭にしないように、周知の構造や動作は詳しく示されていない。いくつかの工程が異なる順序で及び／又は他の工程やイベントと同時に起こることがあるので、本開示は、示される工程やイベントの順序によって限定されない。また、本開示の方法を達成させるために、示された全ての工程やイベントを実施しなければならないわけでもない。
【００１９】
本開示は、サーバ装置のシャーシ（ｃｈａｓｉｓ）を提供（又は説明）する。このシャーシによって、ファンモジュールは、システムの要求に基づいて、異なるサイズのファンユニットを柔軟的に含むことができる。シャーシは、複数のスレッド（ｓｌｅｄ）と、ファンモジュールと、を備えてよい。ファンモジュールは、一つの取り外し可能なセパレータを含む。取り外し可能なセパレータは、複数のファンユニットを収納するように配置される。
【００２０】
図１は、従来技術において、既知の例示的なシャーシ１００装置を示す平面図である。図２は、図１の例示的なシャーシ装置を示す側面図である。シャーシ１００は、ラックシステム（ｒａｃｋ  ｓｙｓｔｅｍ；未図示）に挿入されてよい。ラックシステムは、例えばシャーシ１００のような複数のシャーシを収納できるように配置される。シャーシ１００は、少なくとも１つのスレッド１２０を含んでよい。図１は、複数のスレッド１２０を有するシャーシ１００を提供する。スレッドは、複数の電子素子からなるサーバ又はノード（未図示）を収納するように配置されてよい。シャーシ１００は、シャーシ管理コントローラ（ｃｈａｓｓｉｓ  ｍａｎａｇｅｍｅｎｔ  ｃｏｎｔｒｏｌｌｅｒ；ＣＭＣ）１３０を更に含んでよい。シャーシ管理コントローラ１３０は、シャーシ１００を管理するように配置される。具体的に、シャーシ管理コントローラ１３０は、シャーシ１００内のデーター伝送を管理し、またシャーシ内の全てのノードを管理するように配置される。シャーシ１００は、スレッド１２０の各々に用いられるリンクボード（ｌｉｎｋｉｎｇ  ｂｏａｒｄ）１４０を含んでよい。
【００２１】
シャーシ１００は、スレッド１２０の各々へ電力を供給するように配置される電源バス（ｂｕｓ  ｂａｒ）１５０を更に含んでよい。シャーシ１００は、シャーシ１００内の全ての素子を電源バス１５０に接続するように配置される配電基板（ｐｏｗｅｒ  ｄｉｓｔｒｉｂｕｔｉｏｎ  ｂｏａｒｄ；ＰＤＢ）１６０を更に含んでよい。例えば、スレッド１２０のリンクボード１４０は、配電基板１６０を介して電源バス１５０に接続されてよい。スレッド１２０は、中に取り付かれた全ての素子に電力を供給するように配置される電力供給ユニット１７０を含んでよい。リンクボード１４０は、配電基板１６０に接続されるように、シャーシ１００に固定される。別の通常の設計において、リンクボード１４０の代わりにケーブルを使用してよい。シャーシ管理コントローラ１３０は、ケーブル１３５を介して配電基板１６０に接続されるように、シャーシ１００内に取り付けられる。
【００２２】
シャーシ１００は、ファンモジュール２００を更に含んでよい。ファンモジュール２００は、複数のファンユニット２０１ｎ及びファンボード（ｆａｎ  ｂｏａｒｄ）２１０を含む。ファンユニット２０１ｎの各々は、ケーブル（未図示）によってファンボード２１０に接続されてよい。ファンボード２１０は、配電基板１６０を介して電源バス１５０に接続されるように配置されて、ファンモジュール２００へ電力を供給する。図１及び図２には、ファンモジュール内に固定される合計８つのファンユニット２０１ｎ（図１に示す４行のユニット及び図２に示す２列のユニット）を含むファンモジュール２００を示す。
【００２３】
図３は、固定セパレータ２５０を有するファンモジュール２００を示す等角図である。ファンモジュール２００は、サイズに基づいてファンユニット２０１ｎを収納するように、固定セパレータ２５０が内蔵される。具体的に、図３は、第１のサイズのファンユニット２０１ｎに用いられるファンモジュール２００を示す。例えば、ファンユニットは、８０ミリメートルのサイズを有してよい。セパレータ２５０は、ファンモジュール２００内に固定される。従って、ファンモジュール２００を修理する場合、ファンモジュール２００全体と固定セパレータ２５０を取り外す必要がある。また、現在のファンモジュールの冷却パフォーマンスが電子素子（未図示）のパフォーマンスの最適化に不十分であると、ファンモジュール２００全体をもっと高い冷却パフォーマンスを提供可能なファンモジュールに交換する必要がある。
【００２４】
従来のファンモジュールの制限を避けるために、本開示は、取り外し可能又は再配置可能なセパレータを有するファンモジュールを提供する。従って、セパレータを取外し又は再配置することで、ファンモジュールは、各種の配置の様々なファンサイズに用いられてよい。これについては、下記で更に詳しく説明する。
【００２５】
図４Ａと図４Ｂは、本開示の一部の実施例によるファンモジュール４００を模式的に示す等角図である。このファンモジュール４００は、取り外し可能なセパレータ４５０を含む。図４Ａは組立図であり、図４Ｂは分解図である。図４Ａと図４Ｂに示すように、ファンモジュール４００は、取り外し可能なセパレータ４５０を支持するように配置されてよい。従って、セパレータ４５０がファンモジュール４００に挿入される場合、ファン（未図示）に用いられる空間４６０を提供することができる。セパレータ４５０を取り外した後で、ファンモジュール４００は、大きなファンに用いられる空間を有する。又は、他のサイズのファンを支持するために、異なるセパレータを挿入してもよい。なお、セパレータ４５０の異なる部分が選択的に取り外されるように、セパレータ４５０を配置してよい。従って、セパレータ４５０は、各種の配置の様々なファンサイズを支持することができる。
【００２６】
本開示のファンモジュール４００及びその素子は、金属シートで製造されてよい。金属シートは、例えば、曲げ、成形及びスタンピングの従来の金属製造技術によって製造されてよい。従って、ファンモジュール４００は、非常に安く製造されてよい。又は、ファンモジュール４００及びその素子は、アルミニウム合金、鋼合金又はそれらの如何なる組み合わせで作られてよい。理解すべきなのは、ファンモジュール４００及びその素子は、（未図示の複数のファンモジュールによる）温度変化や高速空気流に耐えることができる如何なる材料で作られてよい。上記の材料は例示だけであり、本開示を制限するためのものではない。当業者は、本開示に従って任意の材料を柔軟的に選択してよい。
【００２７】
図５は、図４Ａと図４Ｂに示す配置による例示的なファンモジュール５００の配置を示す等角図である。図５に示すように、本開示の実施例（例えば、８つの８０ｍｍファンユニット）によれば、ファンモジュール５００は、８つのファンユニット５０１ｎを収納できるように配置される。図５に示すように、ファンモジュール５００は、ファンボード５１０を含む。ファンユニット５０１ｎの各々は、ケーブル（未図示）を介してファンボード５１０に接続されてよい。ファンモジュール５００に電力を供給するように、ファンボード５１０は、配電基板（未図示）を介して電源バス（未図示）に接続されるように配置されてよい。
【００２８】
上記のように、ファンモジュールに用いられるセパレータは、異なるファンサイズや配置を支持するように様々な形態に配置されてよい。例えば、図６Ａと図６Ｂは、本開示の実施例による取り外し可能なセパレータ６５０を含むファンモジュール６００を示す等角図である。図６Ａは組立図であり、図６Ｂは分解図である。図６Ａと図６Ｂに示すように、ファンモジュール６００は、取り外し可能なセパレータ６５０を支持するように配置されてよい。従って、セパレータ６５０がモジュールに挿入される場合、ファン（未図示）に用いられる空間６６０を提供することができる。セパレータ６５０を取り外した後で、ファンモジュール６００は、大きなファンに用いられる空間を有する。又は、セパレータ６５０は、様々なサイズのファンを支持するように取り替えられてよい。例えば、異なる配置のファン（未図示）を支持するように、セパレータ６５０は、図４のセパレータ４５０に取り替えられてよい。
【００２９】
ファンモジュール６００及びその素子は、金属シートで製造されてよい。金属シートは、例えば、曲げ、成形やスタンピングの従来の金属製造技術によって製造されてよい。従って、ファンモジュール６００は、非常に安く製造されてよい。又は、ファンモジュール６００及びその素子は、アルミニウム合金、鋼合金又はそれらの如何なる組み合わせで作られてよい。理解すべきなのは、ファンモジュール６００及びその素子は、温度変化や高速空気流（複数の未図示のファンモジュールから）に耐えることができる任意の材料で作られてよい。上記の材料は、例示だけであり、本開示を制限するためのものではない。当業者は、本開示に従って任意の材料を柔軟的に選択してよい。
【００３０】
図７は、図６Ａと図６Ｂの配置による例示的なファンモジュール７００の配置を示す等角図である。図７に示すように、本開示の実施例（例えば、３つの１４０ｍｍファンユニット）によれば、ファンモジュール７００は、３つのファンユニット７０１ｎを収納するように配置される。ファンモジュール７００は、ファンボード７１０をまた含む。各ファンユニット７０１ｎは、ケーブル（未図示）を介してファンボード７１０に接続されてよい。ファンモジュール７００に電力を供給するように、ファンボード７１０は、配電基板（未図示）を介して電源バス（未図示）に接続されるように配置されてよい。
【００３１】
上記のように、本開示によれば、ファンモジュールに用いられるセパレータを各種のファンサイズ及びその配置を支持するように配置されてよい。例えば、図８Ａと図８Ｂは、本開示の実施例（例えば、８０ｍｍと１４０ｍｍのファンユニットの組合せ）によるファンモジュール８００を示す等角図である。ファンモジュール８００は、第１のサイズのファンユニット及び第２のサイズのファンユニットの組合せを収納できるように配置される。図８Ａは組立図であり、図８Ｂは分解図である。ファンモジュール８００は、取り外し可能なセパレータ８５０を含む。一部の実施例において、ファンモジュール８００は、例えばファンユニット５０１ｎ（図５参照）及びファンユニット７０１ｎ（図７参照）のファンユニットの組合せを含んでよい。システムの要求に対応して、取り外し可能なセパレータ８５０をカスタマイズしてよい。例えば、電子素子は、ファンモジュール８００のパフォーマンスを最適化するために、一側が複数のファンユニット５０１ｎ（例えば、８０ｍｍファンユニット）を含むが、対向側が単一のファンユニット７０１ｎ（例えば１４０ｍｍファンユニット）を含むように、シャーシ内の異なる位置に固定されてよい。
【００３２】
技術者の好みに応じて図４Ｂ、図６Ｂと図８Ｂのセパレータを再配置してよい。各種の形態によって垂直と水平素子を含むセパレータを達成させることができる。例えば、ファンモジュール内のファンユニットの数を最大化するように、垂直と水平素子は任意の形態で配列されてよい。一部の実施例において、セパレータは、ツールレス連動を許可するスリットを含んでよい。例えば、垂直素子及び水平素子は、ネジ又はファスナーなしで、サイドスリットを介して垂直方向、水平方向、又は斜め方向に互いに接続することができる。また、セパレータは、締結具を収納するように配置されてセパレータ素子を共に固定するガイド穴を含んでよい。締結具は、例えば、ネジ／ネジ穴又はナット／ボルトの組合せを含んでよい。スナップやプレスフィット又はリベットのような他の接続方法も使用してよい。このセパレータをツールなしで組み立てられるように配置すると、異なる向きの頑丈な構造を達成させることができる。
【００３３】
本開示の上記説明は、当業者が本開示を作製又は使用することを可能にすることである。本開示の様々な変更は、当業者には明らかであり、本開示で定義される一般的原理は、本開示の範囲から逸脱することなく他の変形例に適用され得る。従って、本開示は、本開示に記載された実施例及び設計に限定されることを意図するものではなく、本開示に開示された原理及び新規な特徴の最も広い範囲が与えられる。
【符号の説明】
【００３４】
１００  シャーシ
１２０  スレッド
１３０  シャーシ管理コントローラ
１３５  ケーブル
１４０  リンクボード
１５０  電源バス
１６０  配電基板
１７０  電力供給ユニット
２００、４００、５００、６００、７００、８００  ファンモジュール
２０１ｎ、５０１ｎ、７０１ｎ  ファンユニット
２１０、５１０、７１０  ファンボード
２５０、４５０、６５０、８５０  セパレータ
４６０、６６０  空間
【図１】
2019121354.tif 000003
【図２】
2019121354.tif 000004
【図３】
2019121354.tif 000005
【図４Ａ】
2019121354.tif 000006
【図４Ｂ】
2019121354.tif 000007
【図５】
2019121354.tif 000008
【図６Ａ】
2019121354.tif 000009
【図６Ｂ】
2019121354.tif 000010
【図７】
2019121354.tif 000011
【図８Ａ】
2019121354.tif 000012
【図８Ｂ】
2019121354.tif 000013